(57)【要約】【課題】提供情報を出力する媒体を自動的に決定して出力する。【解決手段】地域連携端末５０と、医療施設に提供する患者の検査に係わる提供情報を管理する管理サーバ４０と、前記提供情報の出力を行う出力装置６０とが通信ネットワークＮを介してデータ通信可能に接続された診療情報提供システム１００は、地域連携端末５０は、操作部５２からの入力によって提供情報出力の指示が管理サーバ４０に対して入力されると、管理サーバ４０は、ＤＢ部４５ａに記憶されたＤＢを参照し、情報提供依頼出力処理を実行することにより、提供情報を出力する媒体を自動的に決定し、この媒体に提供情報を出力する。【選択図】図５
2010072674.tif 000002
【特許請求の範囲】
【請求項１】
地域連携端末と、医療施設に提供する患者の検査に係わる提供情報を管理する管理サーバと、前記提供情報の出力を行う出力装置とが通信ネットワークを介してデータ通信可能に接続された診療情報提供システムであって、
前記地域連携端末は、通信手段と、前記提供情報を出力する旨の指示を入力する入力手段と、前記入力手段によって指示が入力されると、当該指示を前記通信手段を介して前記管理サーバに送信する制御手段と、を備え、
前記管理サーバは、前記提供情報と、当該提供情報を出力すべき媒体を識別する識別情報とを記憶する記憶手段と、通信手段と、前記通信手段を介して前記地域連携端末から提供情報の出力の指示を受信した場合、前記記憶手段に記憶された識別情報に基づいて提供情報を出力すべき媒体を決定し、当該決定された媒体で前記提供情報を出力するよう前記出力装置を制御する制御手段と、
を備えることを特徴とする診療情報提供システム。
【請求項２】
前記提供情報は、各医療施設に対して提供する医用画像データ及び／又は前記医用画像データに関する読影レポートであることを特徴とする請求項１に記載の診療情報提供システム。
【請求項３】
前記記憶手段は、前記医用画像データが撮影されたモダリティ毎に前記識別情報を記憶することを特徴とする請求項２に記載の診療情報提供システム。
【請求項４】
前記記憶手段は、前記提供情報を提供する医療施設毎に前記識別情報を記憶することを特徴とする請求項１又は２に記載の診療情報提供システム。
【請求項５】
前記記憶手段は、前記提供情報の種類毎に前記識別情報を記憶することを特徴とする請求項１又は２に記載の診療情報提供システム。
【発明の詳細な説明】
【技術分野】
【０００１】
本発明は、診療情報提供システムに関する。
【背景技術】
【０００２】
近年、医療費の負担増加が社会問題となり、医療費を削減すべく様々な対応策が検討されており、この中でも地域医療連携の推進が注目されている。地域医療連携とは、医療施設の役割を機能毎に明確化し、各医療施設の間で患者の診療を分担することである。地域医療連携により、各医療施設の専門性の向上や診療の効率化が行われ、医療費の削減や医療の質の向上を図ることができる。
【０００３】
地域医療連携が十分に取れていない場合、救急患者の搬送先の病院が満床のため満足な医療を提供できない可能性がある。また、地域の小規模な医療施設でも十分な診察を行うことができる患者の診療を大病院で行っていた場合、入院期間が長くなり、医療費の増加に繋がる可能性がある。地域医療連携によって、役割が分担された各医療施設間で患者の紹介を行い、より最適な環境で診察を行う必要がある。
【０００４】
このように、地域医療連携においては、紹介元の医療施設（以下、単に紹介元という）から紹介先の医療施設（以下、単に紹介先という）へ患者が紹介される際、医師の診断結果等の情報が紹介元から紹介先に正確かつスムーズに提供される必要がある。紹介元から紹介先へ提供される情報は、診療情報提供書、検査画像、読影レポート等である。これらの情報を正確かつスムーズに提供するために、様々なシステムが検討されている。
【０００５】
特許文献１には、複数の医療施設とデータセンタで構成される地域医療情報システムにおいて、データセンタに蓄積されている医療情報のうち、画像情報の更新分をデータセンタに接続されている全ての医療施設のデータベースにダウンロードする技術が記載されている。
特許文献２には、地域医療支援センターにデータベースサーバ、アプリケーションサービスサーバ、ネットワーク型電子カルテシステムが備えられており、へき地を含む地域全体の医療及び福祉を総合的に支援するシステムに関する技術が記載されている。
【特許文献１】特開２００３−６３４１号公報
【特許文献２】特開２００５−２５０８０７号公報
【発明の開示】
【発明が解決しようとする課題】
【０００６】
ここで、地域医療連携において、各医療施設を取りまとめる地域中核医療施設から各医療施設に対して情報提供を行う際の業務の流れについて詳細に説明する。
図１２に、一般的な地域医療連携における地域中核医療施設と各医療施設の関係を模式的に示す。図１２に示す例では、医療施設Ａ、医療施設Ｂ、医療施設Ｃが地域中核医療施設Ｄの管理下の元に連携されている。
医療施設Ａは、ＰＣ（Personal Computer）が導入され、ネットワークＮ２を介して地域中核医療施設とデータ通信可能に接続されている。医療施設Ｂは、ＰＣが導入されているが、ネットワークＮ２に接続されていない。医療施設Ｃは、ＰＣが導入されていない。
【０００７】
医療施設Ａ〜医療施設Ｃは、自己の医療施設にはない設備を使用して診療を行いたい場合、地域中核医療施設Ｄに患者の検査を依頼し、紹介先の医療施設に提供する患者の検査に係る医用画像データ等（以下、提供情報という）を引き渡してもらう。この場合、紹介元は地域中核医療施設Ｄであり、紹介先は医療施設Ａ〜医療施設Ｃである。
医療施設Ａは、ネットワークＮ２を介して地域中核医療施設Ｄに検査依頼を行う。地域中核医療施設Ｄでは、ネットワークＮ２を介して医療施設Ａから受け付けた検査依頼に基づいて、来院した患者に対して検査が行われる。この検査による提供情報は、医療施設Ａの要望に応じて、ネットワークＮ２を介してデータが送信されたり、フィルム等に出力し郵送等で医療施設Ａに引き渡される。
【０００８】
医療施設Ｂは、ネットワークＮ２を介して検査依頼を行うことができないので、電話やファクシミリ等で地域中核医療施設Ｄに検査依頼を行う。地域中核医療施設Ｄでは、医療施設Ｂからの検査依頼に基づいて検査が行われる。この検査による提供情報は、ネットワークＮ２を介してデータを送信することができない。提供情報を出力した紙やデータを出力した各種メディアが郵送によって、又は直接引き渡される。
【０００９】
医療施設Ｃは、ＰＣが導入されていないので、電話やファクシミリ等によって地域中核医療施設Ｄに検査依頼を行う。地域中核医療施設Ｄでは、医療施設Ｃからの検査依頼に基づいて検査が行われる。この検査による提供情報は、データで受け渡しても医療施設Ｃでは見ることができない。提供情報を紙やフィルム等に出力して郵送によって、又は直接引き渡される。
【００１０】
以上のように、現状では各医療施設の設備は統一されていない。また、同じ設備を有する医療施設であっても、提供情報をメディアに出力して欲しい場合もあれば、フィルムに印刷して欲しい場合もある。地域中核医療施設Ｄは、医療施設に応じて出力媒体を変更しなければならない。提供情報の出力実行操作が煩雑になり、スムーズな地域医療連携を阻害する可能性がある。
【００１１】
このような問題を解決するために、連携先の医療施設の設備を統一し、一括して同一の媒体に提供情報を出力して煩雑な出力実行操作を回避することも考えられる。しかし、設備を統一するには高額な投資が必要であり、ＰＣを必要としない医療施設も存在するので、医療施設の設備の統一をすることは極めて困難である。地域医療連携を進めるためには、現状の医療施設の設備を維持し、煩雑な出力実行操作を軽減する必要がある。
【００１２】
しかしながら、特許文献１に記載の技術では、地域医療において、データセンタに保管されている医用画像データを医療機関がダウンロードする際の補助をすることはできるが、医療機関へ提供する医用画像データの出力をデータセンタ側で行う際には煩雑な操作を必要とする。特許文献２に記載の技術では、地域医療支援センター内で医療施設の電子カルテ等を総合的に管理することはできるが、提供情報を出力する媒体を自動で選定することはできず、やはり煩雑な操作を必要とする。
【００１３】
本発明は上記課題に鑑みてされたものであり、その目的とするところは、提供情報を出力する媒体を自動的に決定して出力することである。
【課題を解決するための手段】
【００１４】
上記課題を解決するために、請求項１に記載の発明は、
地域連携端末と、医療施設に提供する患者の検査に係わる提供情報を管理する管理サーバと、前記提供情報の出力を行う出力装置とが通信ネットワークを介してデータ通信可能に接続された診療情報提供システムであって、
前記地域連携端末は、通信手段と、前記提供情報を出力する旨の指示を入力する入力手段と、前記入力手段によって指示が入力されると、当該指示を前記通信手段を介して前記管理サーバに送信する制御手段と、を備え、
前記管理サーバは、前記提供情報と、当該提供情報を出力すべき媒体を識別する識別情報とを記憶する記憶手段と、通信手段と、前記通信手段を介して前記地域連携端末から提供情報の出力の指示を受信した場合、前記記憶手段に記憶された識別情報に基づいて提供情報を出力すべき媒体を決定し、当該決定された媒体で前記提供情報を出力するよう前記出力装置を制御する制御手段と、
を備えることを特徴とする。
【００１５】
請求項２に記載の発明は、請求項１に記載の発明において、
前記提供情報は、各医療施設に対して提供する医用画像データ及び／又は前記医用画像データに関する読影レポートであることを特徴とする。
【００１６】
請求項３に記載の発明は、請求項２に記載の発明において、
前記記憶手段は、前記医用画像データが撮影されたモダリティ毎に前記識別情報を記憶することを特徴とする。
【００１７】
請求項４に記載の発明は、請求項１又は２に記載の発明において、
前記記憶手段は、前記提供情報を提供する医療施設毎に前記識別情報を記憶することを特徴とする。
【００１８】
請求項５に記載の発明は、請求項１又は２に記載の発明において、
前記記憶手段は、前記提供情報の種類毎に前記識別情報を記憶することを特徴とする。
【発明の効果】
【００１９】
本発明によれば、提供情報を出力する媒体を自動的に決定して出力させることができる。
【発明を実施するための最良の形態】
【００２０】
以下、本発明に係る実施の形態について説明する。ただし、本発明は図示例のものに限定されるものではない。
【００２１】
（診療情報提供システム１００のシステム構成）
図１に、診療情報提供システム１００のシステム構成を示す。図１に示すように、診療情報提供システム１００は、クライアント端末１０、クライアント端末２０、モダリティ３０、管理サーバ４０、地域連携端末５０、出力装置６０等から構成され、それぞれは通信ネットワークＮを介して、データ通信可能に接続されている。
【００２２】
クライアント端末１０は、機械的な構成は後述するが、医用画像を表示するモニタ（ビューワ）を有し、読影医が医用画像の読影作業を行うことを主な目的として設置されるＰＣ等である。クライアント端末１０は、読影医による操作に基づき、管理サーバ４０に対して医用画像データ取得要求を送信し、この取得要求に応じた医用画像データを取得する。そして、取得した医用画像データに基づきモニタに医用画像を表示する。そして、読影医は、モニタに表示された医用画像を参照して読影作業を行う。
クライアント端末２０は、クライアント端末１０と同様の構成であるので説明を省略する。図１に示す例では、クライアント端末１０とクライアント端末２０の２台を記載しているが、病院の規模に応じてクライアント端末の台数は定められていてよい。
【００２３】
モダリティ３０は、指示された撮影オーダ情報に従って、患者を撮影し、医用画像データを生成する撮影装置である。モダリティ３０は、画像データと付帯情報から構成される医用画像データを生成する。付帯情報とは、撮影された患者を一意に識別する患者ＩＤ等である。医用画像データは、例えば、ＤＩＣＯＭ規格に則ったデータである。
モダリティ３０は、生成した医用画像データを管理サーバ４０に対して送信する。モダリティ３０が生成する医用画像データの送信先は、予め管理サーバ４０に設定されている。モダリティ３０としては、ＣＲ装置、ＣＴ装置、ＭＲＩ装置等、様々な種類の医用画像を撮影する撮影装置が適用可能である。
【００２４】
管理サーバ４０は、モダリティ３０において生成された医用画像データや、来院した患者や提供情報等の情報を格納するＤＢ（Data Base）等を記憶する。管理サーバ４０は、クライアント端末１０、クライアント端末２０等から医用画像データ取得要求を受信した場合、当該取得要求に応じた医用画像データを要求元に送信する。
【００２５】
地域連携端末５０は、後述する情報提供依頼出力処理において、管理サーバ４０に対して出力指示を行うことを主な目的として設置されるＰＣ等である。地域連携端末５０は、クライアント端末１０及びクライアント端末２０のように、医用画像データを表示させることのできる機能を持っていてもよい。
【００２６】
出力装置６０は、クライアント端末１０や地域連携端末５０からの指示により、管理サーバ４０に記憶された医用画像データや診療情報提供書、提供情報を出力する。出力装置６０は、例えば、医用画像データをフィルム出力可能なプリンタ、医用画像データをメディア出力するデバイス等が挙げられる。
【００２７】
（機械的構成）
図２に、クライアント端末１０の機能的構成を示す。図２に示すように、クライアント端末１０は、制御部１１、操作部１２、通信部１３、表示部１４、記憶部１５を備えて構成され、各部はバス１６により接続されている。
【００２８】
制御部１１は、ＣＰＵ（Central Processing Unit）、ＲＡＭ（Random Access Memory
）等から構成され、クライアント端末１０の各部の処理動作を統括的に制御する。具体的には、ＣＰＵは、操作部１２から入力される操作信号又は通信部１３により受信される指示信号に応じて、記憶部１５に記憶されている各種処理プログラムを読み出し、ＲＡＭ内に形成されたワークエリアに展開し、当該プログラムとの協働により各種処理を行う。
【００２９】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００３０】
通信部１３は、ＬＡＮアダプタ、ルータ、ＴＡ（Terminal Adapter）等を備え、通信ネットワークＮを介して接続されたクライアント端末２０等の外部機器との間でデータの送受信を行う。
【００３１】
表示部１４は、ＬＣＤ（Liquid Crystal Display）により構成され、制御部１１から入力される表示データに基づいて各種画面を表示する。
【００３２】
記憶部１５は、ハードディスク等から構成され、制御プログラム、当該プログラムの実行に必要なパラメータやファイル等を記憶している。
【００３３】
クライアント端末２０は、制御部２１、操作部２２、通信部２３、表示部２４、記憶部２５を備えて構成され、各部はバス２６により接続されている。この制御部２１〜バス２６は、それぞれ制御部１１〜バス１６と同様の構成であるので説明を省略する。
【００３４】
図３に、管理サーバ４０の機能的構成を示す。図３に示すように、管理サーバ４０は、制御部４１、操作部４２、通信部４３、表示部４４、記憶部４５を備えて構成され、各部はバス４６により接続されている。制御部４１〜表示部４４は、それぞれ制御部１１〜表示部１４と同様の構成であり、バス４６はバス１６と同様の構成であるので説明を省略する。
【００３５】
記憶部４５は、ＤＢ部４５ａを有する。ＤＢ部４５ａは、大容量ハードディスク等から構成され、モダリティ３０で撮影された医用画像データや被写体である患者に関する情報、医師の診察所見が記載されている読影レポート等の各種情報を一括して管理するデータベース（以下、ＤＢ：Data Baseという）を記憶する。
【００３６】
図４に、地域連携端末５０の機能的構成を示す。図４に示すように、制御部５１、操作部５２、通信部５３、表示部５４、記憶部５５を備えて構成され、各部はバス５６により接続されている。この制御部５１〜バス５６は、それぞれ制御部１１〜バス１６と同様の構成であるので説明を省略する。
【００３７】
（ＤＢ構成）
以下、ＤＢ部４５ａに記憶されているＤＢの構成について説明する。
図５に、ＤＢ部４５ａに記憶されるＤＢを構成する各テーブルの相関関係をＥＲ（Entity Relationship）図として模式的に示す。図５の「ＦＫ（Foreign Key）」とは、外部キーを意味する。
ＤＢ部４５ａに記憶されているＤＢを構成するテーブルは、診療情報提供システム１００のシステム管理者が管理するマスタデータが格納されるテーブル（以降、マスタ系テーブルという）、モダリティ３０から管理サーバ４０に対して送信された医用画像データ、又はクライアント端末１０等から管理サーバ４０に対して送信された検査データがＤＢ部４５ａに記憶されるとレコードが作成されるテーブル（以降、画像登録系テーブルという）、後述する依頼登録処理が実行されるとレコードが作成されるテーブル（以降、依頼登録系テーブルという）の３種類に分類される。
【００３８】
まず、マスタ系テーブルについて説明する。
マスタ系テーブルは、情報提供関連テーブルＴ１、紹介先テーブルＴ２、提供媒体テーブルＴ３、モダリティテーブルＴ４、提供情報種類テーブルＴ５から構成される。
【００３９】
情報提供関連テーブルＴ１は、紹介先、モダリティ、提供情報の種類毎に提供情報を出力すべき媒体を識別する識別情報を管理するためのものである。情報提供関連テーブルＴ１には、ＵＫ＿紹介先（ＵＫ：Unique Key、一意のキーを示す。）、ＵＫ＿提供媒体、ＵＫ＿モダリティ、ＵＫ＿提供情報種類等が格納される。「ＵＫ＿紹介先」とは、ユニークキーの名称が「紹介先」であることを示す。以降についても同様とする。
ＵＫ＿紹介先は、紹介先に一意に割り当てられたユニークキーである。情報提供関連テーブルＴ１のＵＫ＿紹介先は、紹介先テーブルＴ２のＵＫ＿紹介先と対応する。
ＵＫ＿提供媒体は、提供媒体に一意に割り当てられたユニークキーである。提供媒体とは、提供情報を紹介先に提供するために出力する媒体であり、ＣＤ−ＲＯＭ、フィルム、紙等である。紹介先に通信ネットワークを介して提供情報をデータ通信によって提供する場合には、提供媒体は「ネットワーク」とする。情報提供関連テーブルＴ１のＵＫ＿提供媒体により、提供媒体テーブルＴ３のＵＫ＿提供媒体と対応する。
ＵＫ＿モダリティは、モダリティ３０を構成する各モダリティ（ＣＲ，ＣＴ等）に一意に割り当てられたユニークキーである。情報提供関連テーブルＴ１のＵＫ＿モダリティは、モダリティテーブルＴ４のＵＫ＿モダリティと対応する。
ＵＫ＿提供情報種類は、提供情報の種類に一意に割り当てられたユニークキーである。提供情報は、読影レポートとシリーズがある。読影レポートとは、医師による診断結果の詳細を記載した診断情報提供書等である。シリーズとは、モダリティ３０で撮影された一連の医用画像のまとまりのことである。シリーズに含まれる医用画像は一枚であってもよいし、複数枚であってもよい。情報提供関連テーブルＴ１のＵＫ＿提供情報種類は、提供情報種類テーブルＴ５のＵＫ＿提供情報種類と対応する。
【００４０】
紹介先テーブルＴ２は、紹介先の詳細な情報を管理するためのものである。紹介先テーブルＴ２には、ＵＫ＿紹介先、紹介先名等が格納される。
ＵＫ＿紹介先は、情報提供関連テーブルＴ１のＵＫ＿紹介先、及び後述する情報提供依頼テーブルＴ２０のＵＫ＿紹介先と対応する。紹介先名は、情報提供をする紹介先の診療所や病院等の名称である。
【００４１】
提供媒体テーブルＴ３は、出力装置６０で提供情報が出力可能なメディア等の情報を管理するためのものである。提供媒体テーブルＴ３には、ＵＫ＿提供媒体、提供媒体名等が格納される。
ＵＫ＿提供媒体は、情報提供関連テーブルＴ１のＵＫ＿提供媒体と対応する。提供媒体名は、提供媒体の名称であり、「紙」、「フィルム」、「ＣＤ−ＲＯＭ」、「ネットワーク」等である。
【００４２】
モダリティテーブルＴ４は、モダリティ３０の各モダリティの情報を管理するためのものである。モダリティテーブルＴ４には、ＵＫ＿モダリティ、モダリティ名等が格納される。
ＵＫ＿モダリティは、情報提供関連テーブルＴ１のＵＫ＿モダリティ、後述するシリーズテーブルのＵＫ＿モダリティと対応する。モダリティ名は、モダリティ３０の各モダリティの名称であり、「ＣＲ」、「ＣＴ」等である。
【００４３】
提供情報種類テーブルＴ５は、登録された提供情報の種別に関する情報を管理するためのものである。提供情報種類テーブルＴ５には、ＵＫ＿提供情報種類、提供情報種類名、ＵＫ＿レポート、ＵＫ＿シリーズ等が格納される。
ＵＫ＿提供情報種類は、情報提供関連テーブルＴ１のＵＫ＿提供情報種類と対応する。提供情報種類名は、提供情報の種類の名称である。提供情報がシリーズである場合は「画像」、提供情報が読影レポートである場合は「読影レポート」が提供情報種類名となる。
ＵＫ＿レポートは、読影レポートに一意に割り当てられたユニークキーである。提供情報種類テーブルＴ１のＵＫ＿レポートは、後述するレポートテーブルＴ１３のＵＫ＿レポートと対応する。
ＵＫ＿シリーズは、シリーズに一意に割り当てられたユニークキーである。提供情報種類テーブルＴ１のＵＫ＿シリーズは、後述するシリーズテーブルＴ１２のＵＫ＿シリーズと対応する。
【００４４】
次に、画像登録系テーブルについて説明する。
画像登録系テーブルは、患者テーブルＴ１０、検査テーブルＴ１１、シリーズテーブルＴ１２、レポートテーブルＴ１３、画像テーブルＴ１４から構成される。
【００４５】
患者テーブルＴ１０は、患者を識別するための情報を管理するものである。患者テーブルＴ１０には、ＵＫ＿患者、患者ＩＤ等が格納される。
ＵＫ＿患者は、患者ＩＤに一意に割り当てられたユニークキーである。情報提供依頼テーブルＴ２０のＵＫ＿患者と、患者テーブルＴ１０のＵＫ＿患者は対応する。検査テーブルＴ１１のＵＫ＿患者と患者テーブルＴ１０のＵＫ＿患者は対応する。
患者ＩＤは、患者に一意に割り当てられたＩＤであり、医用画像がＤＩＣＯＭである場合にはＤＩＣＯＭに含まれる患者ＩＤ等である。
【００４６】
検査テーブルＴ１１は、患者の検査に関する情報を管理するものである。検査テーブルＴ１１の各レコード（検査レコード）が、患者の検査の一つ一つに対応する。検査テーブルＴ１１には、ＵＫ＿検査、ＵＫ＿患者等が格納される。
ＵＫ＿検査は、検査レコードに一意に割り当てられたユニークキーである。検査テーブルＴ１１のＵＫ＿検査は、シリーズテーブルＴ１２、レポートテーブルＴ１３、画像テーブルＴ１４のそれぞれのＵＫ＿検査と対応する。
ＵＫ＿患者は、患者テーブルＴ１０のＵＫ＿患者と対応する。
【００４７】
シリーズテーブルＴ１２は、シリーズに関する情報を管理するものである。シリーズテーブルＴ１２は、ＵＫ＿シリーズ、ＵＫ＿検査、ＵＫ＿モダリティ等が格納される。
ＵＫ＿シリーズは、シリーズに一意に割り当てられたユニークキーである。ＵＫ＿シリーズは、画像テーブルＴ４のＵＫ＿シリーズと対応する。
ＵＫ＿検査は、検査テーブルＴ１１のＵＫ＿検査と対応する。
ＵＫ＿モダリティは、モダリティテーブルＴ４のＵＫ＿モダリティと対応する。
【００４８】
レポートテーブルＴ１３は、レポートに関する情報を管理するものである。レポートテーブルＴ１３には、ＵＫ＿レポート、ＵＫ＿検査等が格納される。なお、読影レポートを格納されている場所（ＤＢ部４５ａのフォルダ等）を格納してもよい。
ＵＫ＿レポートは、読影レポートに一意に割り当てられたユニークキーである。ＵＫ＿検査は、検査テーブルＴ１１のＵＫ＿検査と対応する。
【００４９】
画像テーブルＴ１４は、モダリティ３０によって撮影された医用画像を識別する情報を管理するものである。画像テーブルＴ１４には、ＵＫ＿画像、ＵＫ＿シリーズ等が格納される。なお、医用画像データやこの医用画像のサムネイルのデータが格納されている場所（ＤＢ部４５ａのフォルダ等）を格納してもよい。
ＵＫ＿画像は、医用画像に一意に割り当てられたユニークキーである。ＵＫ＿画像は、シリーズテーブルＴ１２のＵＫ＿画像、及び提供画像テーブルＴ２３のＵＫ＿画像と対応する。
【００５０】
依頼登録系テーブルは、情報提供依頼テーブルＴ２０、提供検査テーブルＴ２１、提供シリーズテーブルＴ２２、提供画像テーブルＴ２３等から構成される。
【００５１】
情報提供依頼テーブルＴ２０は、登録された提供情報を総括的に管理するものである。情報提供依頼テーブルＴ２０には、ＵＫ＿情報提供依頼、ＵＫ＿紹介先、ＵＫ＿患者等が格納される。
ＵＫ＿情報提供依頼は、後述する情報提供依頼出力処理において、クライアント端末１０から情報提供依頼登録が実行された際に作成されるレコードに一意に割り当てられるユニークキーである。
ＵＫ＿紹介先は、紹介先テーブルＴ２のＵＫ＿紹介先と対応する。
ＵＫ＿患者は、患者テーブルＴ１０のＵＫ＿患者と対応する。
【００５２】
提供検査テーブルＴ２１には、ＵＫ＿提供検査、ＵＫ＿情報提供依頼、ＵＫ＿検査等が格納される。
ＵＫ＿提供検査は、後述する情報提供依頼出力処理において、クライアント端末１０から情報提供依頼登録が実行された際に作成されるレコードに一意に割り当てられるユニークキーである。
ＵＫ＿情報提供依頼は、情報提供依頼テーブルＴ２０のＵＫ＿情報提供依頼と対応する。
ＵＫ＿検査は、検査テーブルＴ１１のＵＫ＿検査と対応する。
【００５３】
提供シリーズテーブルＴ２２は、提供情報に含まれるシリーズの情報を管理するためのものである。提供シリーズテーブルＴ２２には、ＵＫ＿提供シリーズ、ＵＫ＿提供検査、ＵＫ＿シリーズ等が格納される。
ＵＫ＿提供シリーズは、提供情報に含まれるシリーズに一意に割り当てられたユニークキーである。
ＵＫ＿提供検査は、提供検査テーブルＴ２１のＵＫ＿提供検査と対応する。
ＵＫ＿シリーズは、提供情報に含まれるシリーズを識別するユニークキーであって、シリーズテーブルＴ１２のＵＫ＿シリーズと対応する。
【００５４】
提供画像テーブルＴ２３は、提供情報に含まれる画像の情報を管理するものである。提供画像テーブルＴ２３には、ＵＫ＿提供画像、ＵＫ＿提供シリーズ、ＵＫ＿画像等が格納される。
ＵＫ＿提供画像は、後述する情報提供依頼出力処理において、クライアント端末１０から情報提供依頼登録処理が実行された際に作成されるレコードに一意に割り当てられるユニークキーである。
ＵＫ＿提供シリーズは、提供シリーズテーブルＴ２２のＵＫ＿提供シリーズと対応する。
ＵＫ＿画像は、画像テーブルＴ１４のＵＫ＿画像と対応する。
【００５５】
（診療情報提供システム１００の動作）
次に動作について説明する。
図６に、本実施の形態における診療情報提供システム１００が実行する情報提供依頼登録処理の流れを示す。情報提供依頼登録処理では、クライアント端末１０又はクライアント端末２０（以下ではクライアント端末１０の処理を説明する）によって管理サーバ４０に情報提供依頼を登録する。登録された情報提供依頼は、後述する情報提供依頼出力処理（図７参照）において出力される。
なお、以下の処理は各装置の制御部（制御部１１、制御部４１）によって行われる。
【００５６】
まず、表示部１４に患者選択画面Ｇ１が表示され、操作部１２からの入力により情報提供依頼登録が実行される（ステップＳ１）。
【００５７】
以下、ステップＳ１において行われる情報提供依頼登録の処理を詳細に説明する。
図８に、クライアント端末１０の表示部１４に表示される患者選択画面Ｇ１の一例を示す。患者選択画面Ｇ１は、操作部１２からの入力により、情報提供依頼登録を開始する旨の指示が制御部１１に対して入力された際に表示部１４に表示される。図８に示すように、患者選択画面Ｇ１は、メニュータグＧ１ａ、メニューアイコンＧ１ｂ、本日患者タグＧ１ｃ、検索患者タグＧ１ｄ、情報提供依頼タグＧ１ｅ、個人用タグＧ１ｆ、検索指定領域Ｇ１ｇ、患者リストＧ１ｉ等から構成される。
【００５８】
メニュータグＧ１ａは、画面レイアウトを変更するメニューを呼び出したり、患者選択画面Ｇ１を閉じる（表示部１４より患者選択画面Ｇ１を消去させることをいう）等の指示を入力するための各種メニュータグである。メニューアイコンＧ１ｂは、患者選択画面Ｇ１において表示された検査項目に対応する医用画像データを表示させるための指示等を入力するための各種アイコンである。本日患者タグＧ１ｃは、患者選択画面Ｇ１を表示させている日に来院した患者のリストを表示する領域である。検索患者タグＧ１ｄは、患者テーブルＴ１０に格納された患者のうち、検索指定条件と一致する患者の一覧を表示する領域である。検索指定条件とは、患者テーブルＴ１０に格納されている患者の氏名等の情報や、検査テーブルＴ１１に格納されている検査日等の情報であり、すなわち、患者テーブルＴ１０に格納されている患者を特定するための情報である。
情報提供依頼タグＧ１ｅは、患者選択画面Ｇ１からの入力によって情報提供依頼を行った患者の一覧を表示する領域である。個人用タグＧ１ｆは、患者選択画面Ｇ１を表示部１４に表示させているユーザ毎に患者リストを表示する領域である。検索指定領域Ｇ１ｇは、検索患者タグＧ１ｄを表示させている状態で、検索指定条件を入力し患者テーブルＴ１０の検索処理を実行指示を入力するための領域である。患者リストＧ１ｉは、患者テーブルＴ１０に格納された患者のうち、検索指定条件と一致する患者の一覧である。
【００５９】
検索指定領域Ｇ１ｇに検索指定条件が入力され、検索処理の実行指示が操作部１２より入力されると、管理サーバ４０に対して検索条件が送信され、管理サーバ４０は患者テーブルＴ１０を検索する。検索条件と一致する患者、例えば、患者ＩＤが検索条件として送信された場合には、患者テーブルＴ１０のうち、患者ＩＤが一致するレコードが抽出される。次いで、検査テーブルＴ１１が参照され、患者ＩＤが一致するレコードが抽出される。これらの抽出されたレコードの情報を、クライアント端末１０に対して送信することにより、表示部１４に患者リストＧ１ｉが表示される。
【００６０】
ステップＳ１においては、まず、患者リストＧ１ｉを選択することによって、登録する提供情報を指定する。具体的には、患者リストＧ１ｉに表示されたレコードのうち、登録する提供情報のレコードを操作部１２のマウスによってクリックし、情報提供依頼タグＧ１ｅ上にドラッグアンドドロップする等によって、登録する提供情報の指定が行われる。この指定が行われると、表示部１４に情報提供依頼画面Ｇ２が表示される。
【００６１】
図９（ａ）に、登録する提供情報を指定した際に表示部１４に表示される情報提供依頼画面Ｇ２の一例を示す。図９（ａ）に示すように、情報提供依頼画面Ｇ２は、患者情報エリアＧ２ａ、依頼情報タグＧ２ｂ、紹介先タグＧ２ｃ、ＯＫボタンＧ２ｄ、キャンセルボタンＧ２ｅ、画像情報タグＧ２ｆ等から構成される。
患者情報エリアＧ２ａは、情報提供を依頼する患者の情報が表示される領域であり、情報提供依頼タグＧ１ｅ上にドラッグアンドドロップしたレコードに対応する患者の情報が、患者テーブルＴ１０が参照されることによって表示される。
依頼情報タグＧ２ｂは、情報提供をする紹介先を指定するための領域である。紹介先タグＧ２ｃは、管理サーバ４０の紹介先テーブルＴ２が参照され、紹介先テーブルＴ２に格納された紹介先名がプルダウンメニュー等に表示される。紹介先タグＧ２ｃからの入力により、情報提供をする紹介先が選択される。
ＯＫボタンＧ２ｄは、情報提供を依頼する旨の確定を行うためのボタンである。キャンセルボタンＧ２ｅは、情報提供の依頼をキャンセルするためのボタンである。画像情報タグＧ２ｆは、情報提供依頼画面Ｇ３に遷移するためのタグである。
【００６２】
図９（ｂ）に、画像情報タグＧ２ｆが選択された際に、表示部１４に表示される情報提供依頼画面Ｇ３の一例を示す。図９（ｂ）に示すように、情報提供依頼画面Ｇ３は、患者情報エリアＧ３ａ、依頼情報タグＧ３ｂ、画像情報タグＧ３ｃ、検査情報領域Ｇ３ｄ、シリーズ情報Ｇ３ｅ、画像領域Ｇ３ｆ、ＯＫボタンＧ３ｇ、キャンセルボタンＧ３ｈ等から構成される。
患者情報エリアＧ３ａは、患者情報エリアＧ２ａと同様であるので説明を省略する。依頼情報タグＧ３ｂは、情報提供依頼画面Ｇ２を表示させるためのタグである。依頼情報タグＧ３ｂを操作部１２より選択すると、情報提供依頼画面Ｇ２が表示部１４に表示される。画像情報タグＧ３ｃは、検査を指定した患者に対応する検査項目等を表示する領域である。検査情報領域Ｇ３ｄは、検査テーブルＴ１１に格納された内容（検査日時、レポート承認の有無、レポート出力の有無、画像がある場合のモダリティ等）を表示する領域である。シリーズ情報Ｇ３ｅは、検査テーブルＴ１１に格納された検査ＩＤと対応するシリーズテーブルＴ１２に格納されたシリーズの情報を表示する領域である。検査テーブルＴ１１の検査ＩＤとシリーズテーブルＴ１２の検査ＩＤは対応するので、検査ＩＤに対応するシリーズの各種情報が表示される。画像領域Ｇ３ｆは、検査テーブルＴ１１から特定されるシリーズ画像のサムネイルを表示する領域である。ＯＫボタンＧ３ｇとキャンセルボタンＧ３ｈは、それぞれＯＫボタンＧ２ｄとキャンセルボタンＧ２ｅと同様であるので説明を省略する。
【００６３】
ステップＳ１においては、ＯＫボタンＧ２ｄ又はＯＫボタンＧ３ｇが押下されることにより、選択した情報提供の登録の指示が管理サーバ４０に対して送信される。つまり、紹介先タグＧ２ｃからの入力により、紹介先（図９（ａ）の例では「テストクリニック」という名称の紹介先）が選択され、ＯＫボタンＧ２ｄ又はＯＫボタンＧ３ｇが押下されることにより、選択した提供情報を紹介先と対応付けて登録する旨の指示、具体的には、ＵＫ＿紹介先、ＵＫ＿患者、ＵＫ＿検査が管理サーバ４０に対して送信される。
【００６４】
図６に戻り、クライアント端末１０から受信した情報提供の登録指示に基づいて依頼内容が管理サーバ４０のＤＢに登録され（ステップＳ２）、処理は終了する。
【００６５】
以下、ステップＳ２における処理を詳細に説明する。
ステップＳ２においては、ステップＳ１でクライアント端末１０から登録が指示された情報提供依頼に関する情報が、以下の（２−１）〜（２−４）のようにＤＢに登録される。
【００６６】
（２−１）情報提供依頼テーブルＴ２０に登録
まず、情報提供依頼テーブルＴ２０に新たなレコードが作成され、この新たなレコードにＵＫ＿情報提供依頼が付与され、ＵＫ＿紹介先、ＵＫ＿患者とともに格納される。
ＵＫ＿紹介先には、情報提供依頼画面Ｇ２の紹介先タグＧ２ｃにおいて選択された紹介先に対応する紹介先テーブルＴ２のＵＫ＿紹介先が格納される。ＵＫ＿患者には、情報提供依頼画面Ｇ２の患者情報エリアＧ２ａ又は、情報提供依頼画面Ｇ３の患者情報エリアＧ３ａに表示されている患者テーブルＴ１０のＵＫ＿患者が格納される。
【００６７】
（２−２）提供検査テーブルＴ２１に登録
提供検査テーブルＴ２１に新たなレコードが作成され、この新たなレコードにＵＫ＿提供検査が付与され、ＵＫ＿情報提供依頼、ＵＫ＿検査とともに格納される。
ＵＫ＿情報提供依頼は、（２−１）で付与されたＵＫ＿情報提供依頼である。ＵＫ＿検査には、登録が指示された検査に対応する検査テーブルＴ１１のＵＫ＿検査が格納される。登録が指示された検査とは、クライアント端末１０において登録が指示された際に表示部１４に表示された検査情報領域Ｇ３ｄに対応する検査である。
【００６８】
（２−３）提供シリーズテーブルＴ２２に登録
提供シリーズテーブルＴ２２に新たなレコードが作成され、この新たなレコードにＵＫ＿提供シリーズが付与され、ＵＫ＿提供検査、ＵＫ＿シリーズとともに格納される。
ＵＫ＿提供検査は、（２−２）で付与されたＵＫ＿提供検査である。ＵＫ＿シリーズは、登録が指示された検査の検査テーブルＴ１１のＵＫ＿検査とシリーズテーブルＴ１２のＵＫ＿検査が一致するレコードのＵＫ＿シリーズである。
【００６９】
（２−４）提供画像テーブルＴ２３に登録
提供画像テーブルＴ２３に新たなレコードが作成され、この新たなレコードにＵＫ＿提供画像が付与され、ＵＫ＿提供シリーズ、ＵＫ＿画像とともに格納される。
ＵＫ＿提供シリーズは、（２−３）で付与されたＵＫ＿提供シリーズである。ＵＫ＿画像には、登録が指示された検査のシリーズに含まれる画像に対応する画像テーブルＴ１４のＵＫ＿画像が格納される。このＵＫ＿画像は、クライアント端末１０において登録が指示された際に表示部１４の画像領域Ｇ３ｆに表示されたサムネイルに対応する画像である。
以上説明した情報提供依頼登録処理が繰り返されることにより、提供情報と紹介先が対応付けられて管理サーバ４０に登録される。
【００７０】
図７に、本実施の形態における診療情報提供システム１００が実行する情報提供依頼出力処理の流れを示す。情報提供依頼出力処理では、先述した情報提供依頼登録処理によって管理サーバ４０に登録された情報提供依頼を、地域連携端末５０からの出力指示により、管理サーバ４０が提供媒体をＤＢ部４５ａに記憶されたＤＢに基づいて自動的に決定し、出力装置６０で出力する。
なお、以下の処理は各装置の制御部（制御部４１、制御部５１）によって行われる。
【００７１】
まず、地域連携端末５０からの入力により、登録された提供情報の出力実行が管理サーバ４０に対して指示される（ステップＳ３）。ステップＳ３では、地域連携端末５０の表示部５４に表示された入力画面（特に図示せず）において操作部５２からの入力によって指示が行われる。
管理サーバ４０では、登録された提供情報の内容が参照され、出力内容が確定される（ステップＳ４）。
【００７２】
以下、ステップＳ４における管理サーバ４０の動作を詳細に説明する。
ステップＳ４における処理では、登録された情報提供依頼をどの提供媒体で出力するかを決定する。
本実施の形態では、提供媒体を決定するための条件を情報提供関連テーブルＴ１において定義している。図５に示すように、情報提供関連テーブルＴ１は、レコードに一意に割り当てられたＵＫ＿情報提供関連に、ＵＫ＿紹介先、ＵＫ＿提供媒体、ＵＫ＿モダリティ、ＵＫ＿提供情報種類テーブルが対応付けられている。つまり、提供情報依頼のＵＫ＿紹介先、ＵＫ＿モダリティ、ＵＫ＿提供情報種類が特定されることにより、ＵＫ＿提供媒体を特定することができ、どの媒体に提供情報を出力すればよいかを特定することができる。ステップＳ４では、以下の（４−１）〜（４−３）の処理が行われる。
【００７３】
（４−１）登録された依頼登録系テーブルを対応付ける
ステップＳ２において登録された提供情報依頼からＵＫ＿紹介先、ＵＫ＿モダリティ、ＵＫ＿提供情報種類を特定するために、登録された提供情報依頼の各テーブルが対応付けられる。
まず、モダリティテーブルＴ４のＵＫ＿モダリティから、シリーズテーブルＴ１２のＵＫ＿モダリティが対応付けられる。シリーズテーブルＴ１２のＵＫ＿シリーズから、提供シリーズテーブルＴ２２のＵＫ＿シリーズが対応付けられ、提供シリーズテーブルＴ２２のＵＫ＿提供検査から、提供検査テーブルＴ２１のＵＫ＿提供検査が対応付けられる。
次に、レポートテーブルＴ１３のＵＫ＿検査から、検査テーブルＴ１１のＵＫ＿検査が対応付けられ、検査テーブルＴ１１のＵＫ＿検査から、提供検査テーブルＴ２１のＵＫ＿検査が対応付けられる。
紹介先テーブルＴ２のＵＫ＿紹介先から、情報提供依頼テーブルＴ２０のＵＫ＿紹介先が対応付けられる。
このように対応付けされた提供検査テーブルＴ２１のＵＫ＿情報提供依頼から、情報提供依頼テーブルＴ２０のＵＫ＿情報提供依頼が対応付けられる。
【００７４】
図１０に、（４−１）の処理によって対応付けられた情報提供依頼テーブルＴ２０のリストＬ１を示す。
図１０に示すように、リストＬ１は、「ＵＫ＿情報提供依頼」、「紹介先名」、「モダリティ名」、「ＵＫ＿レポート」、「ＵＫ＿シリーズ」から構成される。
「ＵＫ＿情報提供依頼」は、情報提供依頼テーブルＴ２０のＵＫ＿情報提供依頼である。「紹介先名」は、情報提供依頼テーブルＴ２０のＵＫ＿紹介先と対応する紹介先名である。「モダリティ名」は、情報提供をするシリーズのモダリティ名である。「ＵＫ＿レポート」は、情報提供をする読影レポートのレポートテーブルＴ１３のＵＫ＿レポートである。「ＵＫ＿シリーズ」は、情報提供をするシリーズの提供シリーズテーブルＴ２２のＵＫ＿シリーズである。
図１０に示す例では、ＵＫ＿レポートが「２０」の読影レポートと、ＵＫ＿シリーズが「１０」のシリーズが、Ａ病院に情報提供され、このシリーズはＣＴで撮影されている旨を示している。
このように、依頼登録系テーブルが対応付けられることにより、情報提供依頼登録がされた提供情報のＵＫ＿紹介先、ＵＫ＿モダリティ、ＵＫ＿提供情報種類が特定される。
【００７５】
（４−２）マスタ系テーブルの対応付ける
次に、マスタ系テーブルの対応付けが行われる。
まず、モダリティテーブルＴ４のＵＫ＿モダリティから、情報提供関連テーブルＴ１のＵＫ＿モダリティが対応付けられる。紹介先テーブルＴ２のＵＫ＿紹介先から、情報提供関連テーブルＴ１のＵＫ＿紹介先が対応付けられる。提供媒体テーブルＴ３のＵＫ＿提供媒体から、情報提供関連テーブルＴ１のＵＫ＿提供媒体が対応付けされる。提供情報種類テーブルＴ５のＵＫ＿提供情報種類から、情報提供関連テーブルＴ１のＵＫ＿提供情報種類が対応付けられる。
【００７６】
図１１に、（４−２）の処理によって対応付けされた情報提供関連テーブルＴ１のリストＬ２を示す。図１１に示すように、リストＬ２は「ＵＫ＿情報提供関連」、「紹介先名」、「提供媒体名」、「モダリティ名」、「提供情報種類名」から構成される。
「ＵＫ＿情報提供関連」は、情報提供関連テーブルＴ１のＵＫ＿情報提供関連である。「紹介先名」は、情報提供関連テーブルＴ１のＵＫ＿紹介先と対応する紹介先名である。「提供媒体名」は、情報提供関連テーブルＴ１のＵＫ＿提供媒体と対応する提供媒体名である。「モダリティ名」は、情報提供関連テーブルＴ１のＵＫ＿モダリティと対応するモダリティ名である。「提供情報種類名」は、情報提供関連テーブルＴ１のＵＫ＿提供情報種類テーブルと対応する提供情報種類名である。
図１１に示す例では、「テストクリニック」に「読影レポート」を提供する場合には、「紙」を媒体として提供するが、「画像」を提供する場合には、「フィルム」で提供することを示している。モダリティが特に指定されていない場合には、「ＮＵＬＬ」が格納される。
「Ａ病院」に「画像」を提供する場合には、この画像が「マンモグラフィ」で撮影された画像であれば、「フィルム」に印刷して提供するが、「ＣＴ」で撮影された画像であれば、「ＤＶＤ−Ｒ」にデータを出力して提供する。
【００７７】
（４−３）対応付けされたテーブルに基づいて提供媒体を決定
（４−１）で対応付けられた情報提供依頼テーブルＴ２０と、（４−２）で対応付けられた情報提供関連テーブルＴ１に基づいて、情報提供登録された提供情報の提供媒体を決定する。
まず、対応付けられた情報提供依頼テーブルＴ２０の「ＵＫ＿紹介先」、「ＵＫ＿モダリティ」、「ＵＫ＿レポート」、及び「ＵＫ＿シリーズ」と、対応付けされた情報提供関連テーブルＴ１の「ＵＫ＿紹介先」、「ＵＫ＿モダリティ」、「ＵＫ＿レポート」、及び「ＵＫ＿シリーズ」がそれぞれ一致するレコードが参照される。一致するレコードが無い場合には、この提供情報の提供媒体はマスタレコードに登録されていないため、出力媒体は決定されることなく次のレコードが参照される。
一致するレコードがある場合には、当該レコードのＵＫ＿提供媒体が参照され、提供媒体名が特定される。
【００７８】
以上の処理により、ステップＳ２において登録された情報提供依頼の内容から出力すべき提供媒体が特定され、確定する。
図７に戻り、確定された出力内容が地域連携端末５０に対して送信される（ステップＳ５）。次いで、地域連携端末５０の表示部５４に確認画面が表示され（特に図示せず）、ユーザ入力により出力指示が出力装置６０に対して送信される（ステップＳ６）。
【００７９】
出力装置６０では、ステップＳ５で確定された提供媒体に基づいて、出力が実行される（ステップＳ７）。ステップＳ７では、ステップＳ５で確定された提供媒体に応じた出力装置６０で提供情報が出力される。例えば、図１０と図１１に示す例では、Ａ病院に提供するＵＫ＿シリーズが「１０」のシリーズは、出力装置６０のプリンタによりフィルムで出力され、同じくＡ病院に提供するＵＫ＿レポートが「２０」のレポートは、出力装置６０のＣＤ−ＲＯＭドライブによりＣＤ−ＲＯＭにデータ出力される。
【００８０】
以上のように、本実施の形態における診療情報提供システム１００によれば、提供媒体を情報提供関連テーブルＴ１で記憶するため、情報提供依頼出力処理が実行されることにより自動的に媒体が決定され提供情報を出力することができる。したがって、提供情報を出力する際の出力操作の負担を軽減することができる。
【００８１】
また、情報提供関連テーブルＴ１を、紹介先、モダリティ、提供情報名毎に内容を管理することによって、紹介先、モダリティ、提供情報の種類に応じた媒体を決定することができる。したがって、紹介先の医療施設に応じた最適な媒体で提供情報を出力することができる。
【００８２】
なお、上述した本実施の形態における記述は、本発明に係る好適なの一例であり、これに限定されるものではない。
例えば、本実施の形態における情報提供関連テーブルＴ１では、紹介先、モダリティ、提供情報名毎に提供媒体を決定するようにしたが、予め定められた情報の種別に応じて提供媒体が対応付けられていればよく、これに限られない。例えば、紹介先の医師名に応じて提供媒体が対応付けられたりしていてもよい。
【００８３】
また、本実施の形態においては、ＤＢを構成する各テーブルのマスタ系テーブル、画像登録系テーブル、依頼登録系テーブルを図５に示すように分類したが、情報提供関連テーブルＴ１によって提供媒体が関連付けられ、情報提供依頼出力処理によって決定された媒体で提供情報が出力されればよく、テーブルの分類はこれに限られない。例えば、提供情報種類テーブルＴ５が画像登録系テーブルであり、提供情報依頼登録が行われる毎に新たなレコードが追加されるようにしてもよい。
【００８４】
その他、診療情報提供システム１００を構成する各装置の細部構成及び細部動作に関しても、本発明の趣旨を逸脱することのない範囲で適宜変更可能である。
【図面の簡単な説明】
【００８５】
【図１】本実施の形態における診療情報提供システムの機械的構成を示すブロック図である。
【図２】図１に示すクライアント端末の構成を示すブロック図である。
【図３】図１に示す管理サーバの構成を示すブロック図である。
【図４】図１に示す地域連携端末の構成を示すブロック図である。
【図５】図１に示す管理サーバに記憶されるＤＢを構成するテーブルの関係図である。
【図６】本実施の形態における情報提供依頼登録処理の処理の流れを示す図である。
【図７】本実施の形態における情報提供依頼出力処理の処理の流れを示す図である。
【図８】図１に示すクライアント端末に表示される患者選択画面の一例を示す図である。
【図９】クライアント端末に表示される情報提供依頼画面の一例を示し、（ａ）は依頼情報タグが選択された際に表示される画面であり、（ｂ）は画像情報タグが選択された際に表示される画面である。
【図１０】依頼登録系テーブルが対応付けされた際のデータ格納のリストを示す図である。
【図１１】マスタ系テーブルが対応付けされた際のデータ格納のリストを示す図である。
【図１２】一般的な地域中核医療施設と医療施設の業務フローを模式的に示す図である。
【符号の説明】
【００８６】
１００  診療情報提供システム
１０  クライアント端末
２０  クライアント端末
３０  モダリティ
４０  管理サーバ
５０  地域連携端末
６０  出力装置
【図１】
2010072674.tif 000003
【図２】
2010072674.tif 000004
【図３】
2010072674.tif 000005
【図４】
2010072674.tif 000006
【図５】
2010072674.tif 000007
【図６】
2010072674.tif 000008
【図７】
2010072674.tif 000009
【図８】
2010072674.tif 000010
【図９】
2010072674.tif 000011
【図１０】
2010072674.tif 000012
【図１１】
2010072674.tif 000013
【図１２】
2010072674.tif 000014